(57)【要約】【課題】冷却衣料において、冷却効果の持続時間を既存のものよりも長くするとともに、身体の冷却を効率的に行えるようにする。【解決手段】着用者の頚動脈部を覆う衿部１４と、この衿部１４における着用者の肌側に対して着脱自在な収納体とを有する。衿部１４は、吸水性繊維にて形成された芯地が、着用者の肌に近い位置の吸水性布帛と着用者の肌から遠い位置の水蒸気透過性を有した布帛とで挟み込まれた構成である。収納体は、保冷材を収納可能である。保冷材は、着用者の身体における、いわゆる「ツボ」の部分に対応して配置される。【選択図】図１
2007314924.tif 000002
【特許請求の範囲】
【請求項１】
着用者の頚動脈部を覆う衿部と、この衿部における着用者の肌側に対して着脱自在な収納体とを有し、前記衿部は、吸水性繊維にて形成された芯地が、着用者の肌に近い位置の吸水性布帛と着用者の肌から遠い位置の水蒸気透過性を有した布帛とで挟み込まれた構成であり、前記収納体は保冷材を収納可能とされていることを特徴とする冷却衣料。
【請求項２】
収納体が撥水性布帛により形成されていることを特徴とする請求項１記載の冷却衣料。
【請求項３】
着用者の頚動脈部を覆う衿部を有し、この衿部に保冷材の収納空間が形成されていることを特徴とする冷却衣料。
【請求項４】
衿部が袋状に形成されるとともに、この袋状に形成された衿部をこの衿部の長さ方向に沿って開閉可能なファスナーが設けられていることを特徴とする請求項３記載の冷却衣料。
【請求項５】
保冷材を収納可能なポケットが衿部の長さ方向に沿って形成されていることを特徴とする請求項３記載の冷却衣料。
【請求項６】
着用者の後頚部に沿った縁取部を備え、着用時に、前記縁取部からの吊り下げ姿勢と、前記縁取部にて上向きに折り返された姿勢とをとることができるポケットが設けられ、このポケットは保冷材の収納空間を有するものであることを特徴とする冷却衣料。
【請求項７】
保冷材が着用者の後頚部に対応して位置するように構成されていることを特徴とする請求項１から６までのいずれか１項記載の冷却衣料。
【請求項８】
吸水性ナイロンを用いた布帛によって構成されていることを特徴とする請求項１から７までのいずれか１項記載の冷却衣料。
【請求項９】
抗菌防臭加工を施した布帛によって構成されていることを特徴とする請求項１から８までのいずれか１項記載の冷却衣料。
【請求項１０】
着用者の胸を覆う胸覆部と、着用者の背中を覆う背中覆部とを有し、これら胸覆部と背中覆部との少なくともいずれか一方に、保冷材を収納可能なポケットが設けられ、前記保冷材は撥水性を有する袋体に保冷剤を収納したものであることを特徴とする請求項１から９までのいずれか１項記載の冷却衣料。
【請求項１１】
胸覆部と背中覆部との少なくともいずれか一方に設けられたポケットの縁部と、衿上部との少なくともいずれかに、再帰反射材が設けられていることを特徴とする請求項１０記載の冷却衣料。
【請求項１２】
ポケットに収納された保冷材が、頚動脈部と、腋下動脈部と、僧帽筋肉と、雲門部と、中府部との少なくともいずれかに対応して位置するように構成されていることを特徴とする請求項１０または１１記載の冷却衣料。
【請求項１３】
保冷材の収納空間に断熱材が設けられていることを特徴とする請求項１から１２までのいずれか１項記載の冷却衣料。
【請求項１４】
保冷材の収納空間を形成する布帛を有し、この布帛における保冷材側の面にアルミ粉末コーティングが施されていることを特徴とする請求項１から１３までのいずれか１項記載の冷却衣料。
【請求項１５】
キャリーバッグに収容可能なように折り畳み性を有することを特徴とする請求項１から１４までのいずれか１項記載の冷却衣料。
【請求項１６】
磁石を収納可能な磁石収納ポケットを有することを特徴とする請求項１から１５までのいずれか１項記載の冷却衣料。
【請求項１７】
着用者の頚動脈部を覆う衿部と、この衿部における着用者の肌側に対して着脱自在な収納体とを有し、前記収納体は、保温材を収納可能に構成されていることを特徴とする保温衣料。
【請求項１８】
着用者の頚動脈部を覆う衿部を有し、この衿部に保温材の収納空間が形成されていることを特徴とする保温衣料。
【請求項１９】
衿部が袋状に形成されるとともに、この袋状に形成された衿部をこの衿部の長さ方向に沿って開閉可能なファスナーが設けられていることを特徴とする請求項１８記載の保温衣料。
【請求項２０】
保温材を収納可能なポケットが衿部の長さ方向に沿って形成されていることを特徴とする請求項１８記載の保温衣料。
【請求項２１】
着用者の後頚部に沿った縁取部を備え、着用時に、前記縁取部からの吊り下げ姿勢と、前記縁取部にて上向きに折り返された姿勢とをとることができるポケットが設けられ、このポケットは保温材の収納空間を有するものであることを特徴とする保温衣料。
【請求項２２】
保温材が着用者の後頚部に対応して位置するように構成されていることを特徴とする請求項１７から２１までのいずれか１項記載の保温衣料。
【請求項２３】
抗菌防臭加工を施した布帛によって構成されていることを特徴とする請求項１７から２２までのいずれか１項記載の保温衣料。
【請求項２４】
着用者の胸を覆う胸覆部と、着用者の背中を覆う背中覆部とを有し、これら胸覆部と背中覆部との少なくともいずれか一方に、保温材を収納可能なポケットを有し、前記保温材は、袋体に保温剤を収納したものであることを特徴とする請求項１７から２３までのいずれか１項記載の保温衣料。
【請求項２５】
胸覆部と背中覆部との少なくともいずれか一方に設けられたポケットの縁部と、衿上部との少なくともいずれかに、再帰反射材が設けられていることを特徴とする請求項２４記載の保温衣料。
【請求項２６】
保温材が、頚動脈部と、腋下動脈部と、僧帽筋肉と、雲門部と、中府部との少なくともいずれかに対応して位置するように構成されていることを特徴とする請求項２４または２５記載の保温衣料。
【請求項２７】
キャリーバッグに収容可能なように折り畳み性を有することを特徴とする請求項１７から２６までのいずれか１項記載の保温衣料。
【請求項２８】
磁石を収納可能な磁石収納ポケットを有することを特徴とする請求項１７から２７までのいずれか１項記載の保温衣料。
【発明の詳細な説明】
【技術分野】
【０００１】
本発明は冷却または保温衣料に関し、特に、保冷材または保温材を収納可能なポケットを備えた冷却または保温衣料に関する。
【背景技術】
【０００２】
従来から、冷却衣料として、高吸水性樹脂に水を含ませ、それを凍結させたものを保冷材として衣服の任意部分に装着させるようにしたものが知られている。
たとえば、特許文献１には、衣服の内面または外面に通水性布帛を用いて袋部を形成し、この袋部に高吸水性樹脂を内包させたものが記載されている。この衣服は、使用時に高吸水性樹脂に冷却水を含ませ、その気化熱で着用者の身体を冷却しようとするものである。しかし、樹脂に含ませた冷却水が完全に乾燥してしまったら、冷却効果が無くなってしまい、このため効果の持続性に問題がある。
【０００３】
特許文献２には、冷却材を装着できる衣服であって、通気性を向上させる目的でメッシュ状布帛により構成されたものが記載されている。しかし、布帛に使用する素材によっては、発汗したときに気体もしくは液体の汗を吸収することができないことがあり、その場合には着用者に蒸れ感が生じるという欠点がある。また特許文献２では、冷却材を配置する場所として、両腋下部、背上部、胸上部、鼠蹊部、臀部などが記載されているが、これだけでは十分効果的に身体を冷やすことができるとは言い難い。また特許文献１と同様に冷却材は吸水性樹脂であるため、吸収した水分が完全に気化するまでの時間しか冷却効果が得られない。
【特許文献１】特開平８−１９９４０８号公報
【特許文献２】特開２００２−２２０７１０号公報
【発明の開示】
【発明が解決しようとする課題】
【０００４】
本発明は、このような従来の技術における問題点を解決し、たとえば冷却衣料において、冷却効果の持続時間を既存のものよりも長くするとともに、身体の冷却を効率的に行えるようにすることを目的とする。
【課題を解決するための手段】
【０００５】
上記目的を達成するため本発明は、次の構成を有するものである。
【０００６】
（１）着用者の頚動脈部を覆う衿部と、この衿部における着用者の肌側に対して着脱自在な収納体とを有し、前記衿部は、吸水性繊維にて形成された芯地が、着用者の肌に近い位置の吸水性布帛と着用者の肌から遠い位置の水蒸気透過性を有した布帛とで挟み込まれた構成であり、前記収納体は保冷材を収納可能であることを特徴とする冷却衣料。
【０００７】
（２）収納体が撥水性布帛にて形成されていることを特徴とする（１）の冷却衣料。
【０００８】
（３）着用者の頚動脈部を覆う衿部を有し、この衿部に保冷材の収納空間が形成されていることを特徴とする冷却衣料。
【０００９】
（４）衿部が袋状に形成されるとともに、この袋状に形成された衿部をこの衿部の長さ方向に沿って開閉可能なファスナーが設けられていることを特徴とする（３）の冷却衣料。
【００１０】
（５）保冷材を収納可能なポケットが衿部の長さ方向に沿って形成されていることを特徴とする（３）の冷却衣料。
【００１１】
（６）着用者の後頚部に沿った縁取部を備え、着用時に、前記縁取部からの吊り下げ姿勢と、前記縁取部にて上向きに折り返された姿勢とをとることができるポケットが設けられ、このポケットは保冷材の収納空間を有するものであることを特徴とする冷却衣料。
【００１２】
（７）保冷材が着用者の後頚部に対応して位置するように構成されていることを特徴とする（１）から（６）までのいずれかの冷却衣料。
【００１３】
（８）吸水性ナイロンを用いた布帛によって構成されていることを特徴とする（１）から（７）までのいずれかの冷却衣料。
【００１４】
（９）抗菌防臭加工を施した布帛によって構成されていることを特徴とする（１）から（８）までのいずれかの冷却衣料。
【００１５】
（１０）着用者の胸を覆う胸覆部と、着用者の背中を覆う背中覆部とを有し、これら胸覆部と背中覆部との少なくともいずれか一方に、保冷材を収納可能なポケットが設けられ、前記保冷材は撥水性を有する袋体に保冷剤を収納したものであることを特徴とする（１）から（９）までのいずれかの冷却衣料。
【００１６】
（１１）胸覆部と背中覆部との少なくともいずれか一方に設けられたポケットの縁部と、衿上部との少なくともいずれかに、再帰反射材が設けられていることを特徴とする（１０）の冷却衣料。
【００１７】
（１２）ポケットに収納された保冷材が、頚動脈部と、腋下動脈部と、僧帽筋肉と、雲門部と、中府部との少なくともいずれかに対応して位置するように構成されていることを特徴とする（９）または（１１）の冷却衣料。
【００１８】
（１３）保冷材の収納空間に断熱材が設けられていることを特徴とする（１）から（１２）までのいずれかの冷却衣料。
【００１９】
（１４）保冷材の収納空間を形成する布帛を有し、この布帛における保冷材側の面にアルミ粉末コーティングが施されていることを特徴とする（１）から（１３）までのいずれかの冷却衣料。
【００２０】
（１５）キャリーバッグに収容可能なように折り畳み性を有することを特徴とする（１）から（１４）までのいずれかの冷却衣料。
【００２１】
（１６）磁石を収納可能な磁石収納ポケットを有することを特徴とする（１）から（１５）までのいずれかの冷却衣料。
【００２２】
（１７）着用者の頚動脈部を覆う衿部と、この衿部における着用者の肌側に対して着脱自在な収納体とを有し、前記収納体は、保温材を収納可能に構成されていることを特徴とする保温衣料。
【００２３】
（１８）着用者の頚動脈部を覆う衿部を有し、この衿部に保温材の収納空間が形成されていることを特徴とする保温衣料。
【００２４】
（１９）衿部が袋状に形成されるとともに、この袋状に形成された衿部をこの衿部の長さ方向に沿って開閉可能なファスナーが設けられていることを特徴とする（１８）の保温衣料。
【００２５】
（２０）保温材を収納可能なポケットが衿部の長さ方向に沿って形成されていることを特徴とする（１８）の保温衣料。
【００２６】
（２１）着用者の後頚部に沿った縁取部を備え、着用時に、前記縁取部からの吊り下げ姿勢と、前記縁取部にて上向きに折り返された姿勢とをとることができるポケットが設けられ、このポケットは保温材の収納空間を有するものであることを特徴とする保温衣料。
【００２７】
（２２）保温材が着用者の後頚部に対応して位置するように構成されていることを特徴とする（１７）から（２１）までのいずれかの保温衣料。
【００２８】
（２３）抗菌防臭加工を施した布帛によって構成されていることを特徴とする（１７）から（２２）までのいずれかの保温衣料。
【００２９】
（２４）着用者の胸を覆う胸覆部と、着用者の背中を覆う背中覆部とを有し、これら胸覆部と背中覆部との少なくともいずれか一方に、保温材を収納可能なポケットを有し、前記保温材は、袋体に保温剤を収納したものであることを特徴とする（１７）から（２３）までのいずれかの保温衣料。
【００３０】
（２５）胸覆部と背中覆部との少なくともいずれか一方に設けられたポケットの縁部と、衿上部との少なくともいずれかに、再帰反射材が設けられていることを特徴とする（２４）の保温衣料。
【００３１】
（２６）保温材が、頚動脈部と、腋下動脈部と、僧帽筋肉と、雲門部と、中府部との少なくともいずれかに対応して位置するように構成されていることを特徴とする（２４）または（２５）の保温衣料。
【００３２】
（２７）キャリーバッグに収容可能なように折り畳み性を有することを特徴とする（１７）から（２６）までのいずれかの保温衣料。
【００３３】
（２８）磁石を収納可能な磁石収納ポケットを有することを特徴とする（１７）から（２７）までのいずれかの保温衣料。
【発明の効果】
【００３４】
本発明の冷却衣料によると、衿部と収納体とを有し、衿部は、吸水性繊維にて形成された芯地が肌側吸水性布帛と反対側の水蒸気透過性を有した布帛とで挟み込まれた構成であり、収納体は保冷材を収納可能であることで、保冷材による冷却効果と、保冷材の保冷作用にもとづき発生する結露を吸った衿部から水分が蒸発するときに気化熱を奪うことによる冷却効果とを持続させることができ、しかもこれらの相乗効果によって効率的に冷却を行うことができる。
【００３５】
また本発明の冷却衣料によると、着用者の頚動脈部を覆う衿部を有し、この衿部に保冷材の収納空間が形成されているため、保冷材による冷却効果を着用者の頚動脈部に及ぼすことができるため、着用者の身体を効果的に冷却することができる。
【００３６】
また本発明の冷却衣料によると、着用者の後頚部に沿った縁取部を備え、着用時に、前記縁取部からの吊り下げ姿勢と、前記縁取部にて上向きに折り返された姿勢とをとることができるポケットが設けられ、このポケットは保冷材の収納空間を有するものであるため、着用者の頚後部と背中とを選択的かつ効果的に冷却することができる。
【発明を実施するための最良の形態】
【００３７】
まず、本発明の冷却衣料について説明する。
図１〜図４は、本発明の第１の実施の形態の冷却衣料を示す。この冷却衣料１０は、たとえば夏季における屋外での作業者が図示しない作業服とＴシャツなどの下着１１との間に着用するものである。そして冷却衣料１０は、着用者の胸を覆う胸覆部１２と、着用者の背中を覆う背中覆部１３と、着用者の首回りを覆う衿部１４とを有する。胸覆部１２と背中覆部１３とは、着用者の腋の下の位置でゴムベルト１５によって互いに連結されている。ゴムベルト１５は、メッシュ材によって形成することができる。このゴムベルト１５の働きによって、胸覆部１２と背中覆部１３とが着用者の身体にフィット可能である。胸覆部１２はファスナー１６によって開閉できるように構成され、身体に対する着脱の容易性と装着時の身体へのフィット性とを兼備できるように構成されている。胸覆部１２および背中覆部１３の周縁部と、ファスナー１６を設けた部分の胸覆部１２の縁端部とには、それぞれ縁取部１７が形成されている。
【００３８】
胸覆部１２と背中覆部１３とには、それぞれポケット１８が形成されている。これらのポケット１８は、保冷材２１を収納できるように構成されるとともに、その上縁部を面ファスナー１９によって閉じることが可能とされている。これらのポケット１８は、着用者の身体における、僧帽筋肉の部分（背中上部）と、東洋医学でいう雲門部および中府部（いずれも鎖骨の付近）との少なくともいずれかに対応した位置に設けられている。
【００３９】
衿部１４は、着用者の呼吸などに支障が生じないように喉の部分を除いて、普通の衣服よりも高い位置まで形成されて、着用者の首まわり、特に後頚部と頚動脈部とを十分に覆うことができるように構成されている。衿部１４における着用者の肌に近い面には、首まわりに沿った複数の位置に、面ファスナー２０が設けられている。
【００４０】
図４は、衿部１４における着用者の肌に近い面に対して着脱自在な収納体２２を示す。この収納体２２には面ファスナー２３が設けられており、この面ファスナー２３と衿部１４の面ファスナー２０とを用いて、収納体２２が衿部１４に対して着脱されるように構成されている。収納体２２は、衿部１４に対応した長さと高さとを有するとともに、その長さ方向に沿った複数の位置にそれぞれポケット２４が設けられている。各ポケット２４は、保冷材２１を収納できるように構成されている。ポケット２４を備えた収納体２２が衿部１４に装着されると、このポケット２４は、着用者の頚動脈部および後頚部に対応して位置することになる。
【００４１】
図５〜図８は、本発明の第２の実施の形態の冷却衣料を示す。ここでは、第１の実施の形態の冷却衣料に比べて、衿部１４の高さが低目に形成されている。これに合わせて、収納体２２の高さも、第１の実施の形態のものに比べて低く形成されている。
【００４２】
また第１の実施の形態の冷却衣料のゴムベルト１５に代えて、背中覆部１３の下端の両側によってベルト部２５が一体に形成されている。ベルト部２５の先端には面ファスナー２６が設けられ、この面ファスナー２６と、胸覆部１２の下端に設けられた面ファスナー２７とを接合させることで、ベルト部２５の作用によって、胸覆部１２と背中覆部１３とを着用者の身体にフィットさせることが可能である。
【００４３】
ベルト部２５には、面ファスナー２８によって開閉自在なポケット２９が設けられている。このポケット２９は、保冷材２１を収納できるように構成されるとともに、着用者の腋下動脈部に対応して位置するように構成されている。
【００４４】
なお、第１の実施の形態のものにおいて、衿部１４を第２の実施の形態のものと同程度の高さとすることが可能である。また、第１の実施の形態のものにおいて、ゴムベルト１５に代えてベルト部２５を設けることも可能である。さらに、第２の実施の形態のものにおいて、衿部１４を高く形成することも可能であるなど、さまざまな変形を施すことが可能である。
【００４５】
以下、第１の実施の形態のものと第２の実施の形態のものとに共通する部分について説明する。
冷却衣料１０における衿部１４を除いた部分、すなわち胸覆部１２と背中覆部１３とは、吸水性ナイロンを用いたメッシュ状の布帛によって形成されている。これにより、軽量であり、しかも吸水性ナイロンを用いたこととメッシュ状の布帛であることとによる相乗的な冷却効果を得ることができる。このような効果を得るために、特に、繊維断面が芯鞘構造であり、芯部にポリアルキレンオキシドとポリオール及び脂肪族イソシアネート化合物との反応によって得られたポリアルキレンオキシド変性物を含有し、鞘部がポリアミドであるものを、好ましく用いることができる。
【００４６】
衿部１４は、次のような構成である。すなわち、図９に示すように、衿部１４は、吸水性繊維により構成された芯地３１が、着用者の肌に近い位置に設けられた吸水性布帛３２と、着用者の肌から遠い位置に設けられた水蒸気透過性を有した布帛３３とで挟み込まれた構成である。３５はゴムループで、衿部１４の形態を保持するために設けられている。
【００４７】
衿部１４の上縁やポケット１８の上縁には、再帰反射材を用いた縁取部３４が形成されている。加えて、縁取部３４や縁取部１７は、吸汗拡散性素材あるいは吸水性素材によって形成することが好適である。
【００４８】
芯地３１を構成する吸水性繊維としては、セルロース系、タンパク質系、ポリアミド系といった親水性を有する繊維や、ポリビニルアルコール、ポリアクリル酸ソーダといった高吸水性ポリマーをそのまま繊維化したものや、ポリエステル系、アクリル系、セルロース系などの繊維素材と親水性樹脂との共重合体からなる繊維などを用いることができる。そして芯地３１は、これらの繊維を用いた織編物によって構成することができる。織編組織は、任意のものを採用することができる。
【００４９】
吸水性布帛３２は、吸水性あるいは吸汗拡散性を有するものであれば、任意の繊維素材、任意の織編組織を適用することができる。布帛３３は、水蒸気透過性を有する任意のものを用いることができる。
【００５０】
収納体２２は、少なくとも衿部１４に装着される側の面が撥水性素材によって形成されていることが好適である。すると、収納体２２のポケット２４に収納された保冷材２１により、周囲の水蒸気が液化し、撥水性素材によって形成された面に結露する。その結露水は、衿部１４の吸水性布帛３２によって吸水され、さらに吸水性繊維によって構成された芯地３１に到達する。そして、その水分が、布帛３３を通ったうえで、衿部１４の外面から外環境に向けて気化し、そのときに気化熱を奪うことによって冷却効果が得られることになる。
【００５１】
収納体２２は、綿やレーヨンなどの肌触りの良い素材にて形成することもできる。このようなものであると、保冷材２１として凍ったものを使用したときでも、着用者にゴツゴツ感を与えにくいという利点がある。
【００５２】
ポケット１８、２９の内面や、収納体２２におけるポケット２４の内面に断熱材を配置すれば、保冷材２１を収納したときの保冷効果を向上させることができる。このような断熱材としては、発泡樹脂シートなどを好適に用いることができる。また、保冷効果を向上させるために、ポケット１８、２４、２９を構成する布帛にアルミ粉末コーティングを施すことが効果的である。このほかにも、冷却衣料１０の胸覆部１２や背中覆部１３を構成する布帛あるいはこの布帛を構成する繊維などにアルミ粉末コーティングを施すことも、保冷効果を向上させるために効果的である。
【００５３】
保冷材２１は、袋体に保冷剤を収納したものであり、袋体は撥水性を有することが好ましい。このように撥水性を有することで、上記と同様に結露が発生し、その気化熱による冷却効果を期待できるためである。この保冷材は、一般に食品の保冷や発熱時の局部冷却などに用いられる、ポリアクリル酸系の高吸水性ポリマーなどからなるジェル状のものを用いることができる。たとえば、小林製薬社製の商品名「熱さまシート」や、白元社製の商品名「アイスノン」などに用いられているものと同様の材料すなわち保冷剤をフィルム製の袋内に閉じ込め、衿部１４などの収納箇所に対応した形状に成形されたものを使用することができる。また保冷材２１としては、たとえば２５℃設定のもの（周囲の温度が高い場合でも２５℃の状態をある程度の時間持続できる材料を用いたもの）が好適である。
【００５４】
衿部１４に収納体２２を取り付けると、この収納体２２のポケット２４に収納された保冷材２１は、冷却衣料１０の着用者の頚動脈部すなわち首の前側の側部を冷やすことができる。また胸覆部１２および背中覆部１３のポケット１８やベルト部２５のポケット２９に収納された保冷材２１によって、上述のように、機能解剖学でいう腋下動脈部や僧帽筋（背中の筋肉）を冷やすことができるとともに、東洋医学でいう雲門部や中府部（両者とも鎖骨の付近）を冷やすことができる。これらの部位は、部分的な冷却で身体の全体を冷やすことができる、いわゆる「ツボ」の部分であるため、身体の全体を効率的に冷やすことが可能となる。また夏季における屋外での作業時に冷却衣料１０を着用すると、収納体２２のポケット２４に収納された保冷材２１によって着用者の後頚部を効率的に冷やすことができる。上述した第１の実施の形態の冷却衣料１０のように衿部１４を高く形成して、特に後頚部を冷やすようにすることで、格別な冷却効果を発揮することができる。
【００５５】
冷却衣料１０の各部は、抗菌防臭加工によって抗菌防臭性を付与した布帛によって構成することができる。このようなものであると、生地が汗を吸っても、それが腐敗することによって生じる臭いの発生を抑えることができる。布帛に付与する抗菌防臭性とは、社団法人繊維評価技術協議会が定めるＳＥＫマークの認定基準に準じて定められるものである。すなわち、ＪＩＳ  Ｌ−１９０２に定められている「繊維製品の抗菌性試験方法」における静菌活性値が２．２以上である性能を有する布帛を、抗菌防臭性を備えた布帛であると認定することができる。このために使用すべき抗菌剤は、特に指定されるものではないが、社団法人繊維評価技術評議会が定めているＳＥＫマーク認定用の抗菌剤に該当するものが、安全性の面から好ましい。
【００５６】
上述のように、衿上部やポケット１８に再帰反射材を用いた縁取部３４を設けることで、着用者の作業時の安全性を高めることができる。再帰反射材とは、ガラスビーズのような再帰反射性を有する材料を生地表面にコーティングしたものをいい、これを該当箇所に縫着などによって取り付ける。
【００５７】
着用者の首まわりの冷却については、上述のように、保冷材２１による冷却効果と、衿部１４が吸水性布帛３２と芯地３１と布帛３３とを重ねた特殊な構造であることにもとづく気化熱による冷却効果との相乗的な冷却効果を期待することができる。しかも、保冷材２１による冷却効果を発揮する収納体２２と気化熱による冷却効果を発揮する衿部１４とを別体としたために、それぞれを個別に機能させて十分な効果を発揮させることができる。また、これら収納体２２と衿部１４とを面ファスナー２０、２３によって互いに接合可能としたため、両者を容易に一体化および分離することができる。両者を分離して、保冷材２１を収納した収納体２２のみをたとえば冷蔵庫で冷やして再利用に供することができる。
【００５８】
図１０〜図１４は、本発明の第３の実施の形態の冷却衣料を示す。ここでは、衿部１４が全長にわたって袋状に形成されており、この衿部１４と、胸覆部１２および背中覆部１３との境界の部分に沿って、袋を開閉するためのファスナー４１が設けられている。図１０、１１、１３はファスナー４１によって袋を閉じた状態を示し、図１２はファスナー４１によって袋を開いた状態を示す。
【００５９】
図１３は衿部１４の横断面構造、すなわち図１１におけるＡ−Ａ線に沿った断面図を示す。この衿部１４は、図示のように、内面側布帛４２と外面側カバー４３との間に空間４４を形成することで袋状に形成されている。内面側布帛４２は、吸水性布帛によって構成されている。外面側カバー４３は、断熱性能を有するように構成することが好ましく、たとえば、図示のように、撥水性素材によって形成された一対のカバー材４５、４５の間に、発泡樹脂などによって形成された断熱シート４６を挟み込んだ構成とすることが好適である。たとえば空間４４に面した方のカバー材４５を上述のアルミ粉末コーティングを施したものとすることで、保冷効果の向上を図ることができる。
【００６０】
衿部１４に用いる保冷材２１は、空間４４の長さに対応した細長いものを用いることができる。あるいは、所定の長さの複数の保冷材を縦方向に並べた状態で空間４４に配置することもできる。
【００６１】
図１４は、ポケット１８の断面構造、すなわち図１１におけるＢ−Ｂ線に沿った断面図を示す。図示のように、ポケット１８は、背中覆部１３（あるいは胸覆部１２）を構成する布帛４７と、この布帛４７に重なる表側布帛４８とによって、内部空間４９を形成している。布帛４７、４８における内部空間４９に面した側には、発泡樹脂などによって形成された断熱シート５０が積層されることで、断熱効果すなわち保冷効果の向上が図られている。布帛４７、４８における断熱シート５０の積層面にアルミ粉末コーティングを施せば、保冷効果をさらに向上させることができる。
【００６２】
図１５〜図１６は、本発明の第４の実施の形態の冷却衣料を示す。ここでは、衿部１４の長さ方向に沿って、保冷材２１を収納するためのポケット５２が形成されている。ポケット５２の開口５３は、衿部１４の内側におけるその長さ方向に沿った中央の部分に形成されており、面ファスナー５４によって閉じることができるように構成されている。
【００６３】
図１６（ｂ）は、ポケット５２の縦断面構造、すなわち、胸覆部１２を開いた状態を示す図１６（ａ）におけるＣ−Ｃ線に沿った断面図を示す。図示のように、ポケット５２は、外面側カバー５５と内面側布帛５６とによって内部空間５７を形成している。外面側カバー５５は、図１３に示される外面側カバー４３と同様に、断熱性能を有していることが好ましく、撥水性素材によって形成された一対のカバー材４５、４５の間に、発泡樹脂などによって形成された断熱シート４６を挟み込んだ構成とすることが好適である。また、内部空間５７に面した方のカバー材４５の表面に上述のアルミ粉末コーティングを施したものとすることで、保冷効果の向上を図ることができる。内面側布帛５６は、吸水性布帛によって構成されている。
【００６４】
このような構成であると、ポケット５２の開口５３を間に挟んで一対の収納部が形成されることになるため、各収納部ごとに、それに対応する長さで形成された保冷材２１を収納することができる。
【００６５】
図１７〜図１９は、本発明の第５の実施の形態の冷却衣料を示す。ここでは、冷却衣料１０は衿部１４を有さず、それに代えて、背中覆部１３における着用者の首に対応する位置に、ポケット６１が設けられている。６２はその開口である。このポケット６１は、開口形成側布帛６３と、反対側布帛６４とによって内部空間を形成できるように構成され、これら布帛６３、６４どうしが重ね合わされた状態でその一方の側部６５が背中覆部１３の縁取部１７に縫い付けられている。そしてポケット６１は、図１７に示すように背中覆部１３の縁取部１７から吊り下げられた状態と、図１８に示すように縁取部１７を境として上向きに折り返された状態とのいずれの状態で用いることも可能である。図１７に示す吊り下げられた状態では、着用者の背中を冷やすことが可能であり、また図１８に示す折り返された状態では、着用者の首を冷やすことが可能である。
【００６６】
布帛６３、６４は、上述の理由にもとづき、そのいずれか一方であって着用者の肌に触れることが多い方が吸水性素材によって形成されるとともに、他方が撥水性素材によって形成されているのが好適である。撥水性素材によって形成された布帛は、ポケット６１の内部空間の側の面にアルミ粉末コーティングを施すことで、保冷効果の向上を図ることができる。
【００６７】
冷却衣料１０は、普通の衣料と同様の折り畳み性を有する。これによって、例えば図２０に示すような袋状のキャリーバッグ３６やかばん状のキャリーバッグ３７に収容して運搬することができる。かばん状のキャリーバッグ３７は、断熱効果を有する素材にて形成することで、冷却衣料１０を夏季に保冷材２１とともに作業現場に運搬するときに、特に保冷材２１の温度上昇を防止することが可能である。袋状のキャリーバッグ３６は、メッシュ状の布帛にて形成することで、汗を吸った冷却衣料を通気を施した状態で運搬することができる。冷却衣料１０を収容した袋状のキャリーバッグ３６をさらにかばん状のキャリーバッグ３７に収容して運搬することも可能である。
【００６８】
たとえば図７に示すように、冷却衣料１０には、磁石を収納可能な磁石収納ポケット３８を設けることができる。たとえば磁石収納ポケット３８を東洋医学でいう肩井部分（肩の部分）に対応する位置に設けると、着用者の血行を促進させて肩こりを防止することができる。
【００６９】
次に、本発明に基づく保温衣料について説明する。
冷却衣料１０は、そのポケット１８、２４、２９、５２、６１に発熱材や保温材を収納することによって、保温衣料として利用することもできる。この場合の保温材を構成する保温剤としては、たとえばノルマルパラフィンやポリアクリル酸系高吸水性ポリマーなどを主成分とする材料などを好適に利用することができる。また保温材としては、たとえば４０℃設定のもの（周囲の温度が低い場合でも４０℃の状態をある程度の時間持続できる材料を用いたもの）が好適である。
【００７０】
なお、保温専用の衣料とする場合は、上記したような衿部１４の気化熱を奪うための特殊な三層構造は不要である。胸覆部１２や背中覆部１３も、上述のような吸水性ナイロンを用いたメッシュ状の布帛によって形成する必要はない。それに代えて、保温性に優れた布帛によって形成することが好ましい。それ以外の構成は、冷却衣料１０の場合と同様とすることができる。
【実施例】
【００７１】
［冷却衣料］
本発明にもとづく冷却衣料の具体例について説明する。
経編機を用い、ポリエステルフィラメントと吸水性ナイロン繊維とによって製編を行った。得られた素材は、目付が８５ｇ／ｍ２であった。さらに、この素材に抗菌防臭処理を施した。処理後の素材を用いて、図１〜図４に示す冷却衣料１０の前身頃部すなわち胸覆部１２と、後身頃部すなわち背中覆部１３とを作成し、胸覆部１２と背中覆部１３との腋下の端部どうしの間にゴムベルト１５をわたして逢着した。また、図示のように、胸覆部１２の上部２箇所と背中覆部１３の３箇所とに、これら胸覆部１２および背中覆部１３と同じ素材によってポケット１８を形成し、これらのポケット１８の上縁には再帰反射材を用いた縁取部３４を縫着した。
【００７２】
衿部１４は、次のようにして形成した。すなわち、吸汗拡散機能を持つポリエステルフィラメントと吸水性ナイロン繊維とによって製編を行い、目付が１６８ｇ／ｍ２の素材を得て、衿部１４の吸水性布帛３２とした。また、同じ素材を用いて、縁取部１７を形成した。一方、撥水加工を施したポリエステル素材によって、水蒸気透過性を有する布帛３３を形成した。これら吸水性布帛３２と水蒸気透過性を有する布帛３３との間に、自らの質量の８０倍の吸水性能を有する高吸水ポリアクリル酸ナトリウム塩を主体成分とする不織布を、芯地３１、すなわち結露吸収材および保冷材として、挟み込み状態で配置した。また断面Ｕ字形に形成した再帰反射材を用いて縁取部３４を形成した。
【００７３】
収納体２２は、撥水加工を施したポリエステル素材により形成し、そのポケット２４に保冷材２１を収納できるようにした。この保冷材２１を収納した収納体２２は、面ファスナー２０、２３によって衿部１４に取り付けた。
【００７４】
胸覆部１２にはファスナー１６を設けて、このファスナー１６を閉じることによって、収納体２２と冷却衣料１０の着用者の首筋との接触性を確保できるようにした。
【００７５】
保冷材２１は、高分子吸水ポリマーを主成分とする保冷剤を袋状の抗菌ナイロンポリフィルムで包み込んだものを用いた。具体的には、胸覆部１２および背中覆部１３のポケット１８には、７０ｍｍ×１００ｍｍのサイズの袋に１００ｇの保冷剤を包み込んだ保冷材２１を収納し、衿部１４に装着する収納体２２のポケット２４には、６０ｍｍ×１００ｍｍのサイズの袋に４０ｇの保冷剤を包み込んだ保冷材２１を収納した。いずれの保冷材２１も、２５℃設定のものを使用した。
【００７６】
［試験］
上述の第1の実施の形態の衿部１４の高い冷却衣料１０（胸と背中と首まわりに保冷材を収納したもの。以下、「保冷剤入りベスト（ハイネック）」と称する）と、第２の実施の形態の冷却衣料１０（胸と背中と首まわりに保冷材を収納したもの。以下、「保冷剤入りベスト」と称する）と、公知の高吸水繊維により作成した冷却衣料を水に浸漬させた後に軽く絞ったもの（以下、「高吸水繊維」と称する）とを準備した。４人の被験者のうちの３人が作業服と下着との間に上記の３種類の冷却衣料を着用し、他の１人は作業服と下着だけの冷却衣料を着用しない状態（以下、「ブランク」と称する）で、それぞれ試験に臨んだ。
【００７７】
被験者４名の右胸に皮膚温度センサーを取り付け、２０℃×６５％ＲＨの環境下で安静にした後に３８℃×５０％ＲＨの環境へ移り、そこで２時間（１２０分）安静にした。そして、経時的に、皮膚温度の変化を測定するとともに、サーモグラフィにて冷却衣料などの温度変化を測定した。
【００７８】
皮膚温度の変化の測定結果を図２１に示す。縦軸は皮膚温度を表わし、横軸は経過時間を表わしている。図示のように、ブランクおよび高吸水繊維の場合は試験開始当初よりも皮膚温度が上昇したが、保冷剤入りベストおよび保冷剤入りベスト（ハイネック）の場合は試験開始当初よりも皮膚温度が低下した。高吸水繊維の場合は、試験開始直後の約１０分間はブランクの場合同様に皮膚温度が上昇し、その後に水分が蒸発してしまうと、ブランクの場合よりも着衣の数が１枚多いことが原因して、長時間にわたってブランクの場合よりも皮膚温度の上昇が見られた。これに対し保冷剤入りベスト（ハイネック）および保冷剤入りベストの場合は、２時間（１２０分）の試験時間中にわたって、試験開始当初よりも皮膚温度が低い状態が持続した。保冷剤入りベスト（ハイネック）の場合は、頚動脈および後頚部を効果的に冷やすことができたため、皮膚温度をかなり効果的に低下させることができた。
【００７９】
サーモグラフィによる温度変化の測定結果を図２２および図２３に示す。詳細には、図２２はブランクの場合と高吸水繊維の場合を示し、図２３は保冷剤入りベストの場合と保冷剤入りベスト（ハイネック）の場合を示す。これらの図中、濃度の高い部分が低温の部分を表わしている。図２３の場合は、時間が経過しても冷却衣料の温度は上昇せず、しかも頚動脈、雲門、中府といったいわゆる「ツボ」の部分を冷やしているため、冷却効果が大きく、図２１に示したとおり皮膚温度の上昇を抑えることができた。
【００８０】
［ポケットの試験］
上述のように、保冷材２１を収納するポケットに断熱シートを用いたりアルミ粉末コーティングを施すことによって、保冷性能の向上を図ることが可能である。このことを確かめるための試験を行った。すなわち、撥水加工を施したポリエステル素材をポケットの材料として、これに発泡ポリエチレンからなる断熱シートを積層したものと、これにアルミ粉末コーティングを施したものと、これにアルミ粉末コーティングを施すとともに発泡ポリエチレンからなる断熱シートを積層したものとの三者を供試サンプルとした。また、比較のためにナイロンメッシュ素材を用いたものについても試験した。
【００８１】
これらの素材を用いて袋状のポケットを作成し、その中に２５℃設定の保冷材を入れ、４０℃の環境温度のもとで、時間の経過にともなうポケット表面の温度変化を観察した。その結果を図２４に示す。図示のとおり、保冷効果の高いものほど、初期段階におけるポケット表面の温度が高く、したがって着用者の肌を急冷することなく冷やすことができる効果があった。また、図示のように、ナイロンメッシュ素材を用いたものよりも断熱シートを積層したものの方が保冷効果が高く、断熱シートを積層したものよりもアルミ粉末をコーティングしたものの方が保冷効果が高く、また、それよりも、アルミ粉末コーティングを施すとともに発泡ポリエチレンからなる断熱シートを積層したものの方が保冷効果が高いという結果が得られた。
【図面の簡単な説明】
【００８２】
【図１】本発明の第１の実施の形態の冷却衣料の斜視図である。
【図２】図１の冷却衣料の正面図である。
【図３】図１の冷却衣料の背面図である。
【図４】図１の冷却衣料における収納体を示す図である。
【図５】本発明の第２の実施の形態の冷却衣料の斜視図である。
【図６】図５の冷却衣料の正面図である。
【図７】図５の冷却衣料の背面図である。
【図８】図５の冷却衣料における収納体を示す図である。
【図９】本発明の第１および第２の実施の形態の冷却衣料における衿部の断面構造を示す図である。
【図１０】本発明の第３の実施の形態の冷却衣料の正面側の斜視図である。
【図１１】図１０の冷却衣料の背面側の斜視図である。
【図１２】図１１の冷却衣料における袋状の衿を開いた状態を示す斜視図である。
【図１３】図１１におけるＡ−Ａ線に沿った断面図である。
【図１４】図１１におけるＢ−Ｂ線に沿った断面図である。
【図１５】本発明の第４の実施の形態の冷却衣料を示す図である。
【図１６】図１５の冷却衣料を開いた状態で示す図である。
【図１７】本発明の第５の実施の形態の冷却衣料を示す図である。
【図１８】図１７におけるポケットを折り返した状態を示す図である。
【図１９】図１７における要部の斜視図である。
【図２０】本発明の冷却衣料を収容して運搬するためのキャリーバッグを示す図である。
【図２１】皮膚温度の変化の測定結果を示す図である。
【図２２】サーモグラフィによる温度変化の測定結果を示す図である。
【図２３】サーモグラフィによる温度変化の測定結果を示す他の図である。
【図２４】ポケット表面の温度変化の測定結果を示す図である。
【符号の説明】
【００８３】
１０    冷却衣料
１４    衿部
２１    保温材
２２    収納体
３１    芯地
３２    吸水性布帛
３３    水蒸気透過性を有した布帛
【図１】
2007314924.tif 000003
【図２】
2007314924.tif 000004
【図３】
2007314924.tif 000005
【図４】
2007314924.tif 000006
【図５】
2007314924.tif 000007
【図６】
2007314924.tif 000008
【図７】
2007314924.tif 000009
【図８】
2007314924.tif 000010
【図９】
2007314924.tif 000011
【図１０】
2007314924.tif 000012
【図１１】
2007314924.tif 000013
【図１２】
2007314924.tif 000014
【図１３】
2007314924.tif 000015
【図１４】
2007314924.tif 000016
【図１５】
2007314924.tif 000017
【図１６】
2007314924.tif 000018
【図１７】
2007314924.tif 000019
【図１８】
2007314924.tif 000020
【図１９】
2007314924.tif 000021
【図２０】
2007314924.tif 000022
【図２１】
2007314924.tif 000023
【図２２】
2007314924.tif 000024
【図２３】
2007314924.tif 000025
【図２４】
2007314924.tif 000026